(57)【要約】【課題】脱水運転時及び乾燥運転時においても圧縮機の振動を有効に緩和する。【解決手段】支持板４１にはねじ５５が立設状態に設けられている。このねじ５５の上部には座金付のナット５８が設けられている。弾性脚５６は上下方向に開通する中空部を備えてほぼ筒状をなし、ねじ５５に嵌合された形態で、支持板４１に上下方向に指向して配置されている。この弾性脚５６は圧縮機４２を弾性支持している。弾性部材５７は、弾性脚５６上端と座金付ナット５８との間に隙間なく設けられ、弾性脚より５６も柔弾性である。【選択図】図１
2009219598.tif 000002
【特許請求の範囲】
【請求項１】
少なくとも洗い時及び脱水時に回転駆動される回転槽と、
圧縮機、蒸発器及び凝縮器を有して構成され、前記回転槽内の衣類を乾燥させるためのヒートポンプと、
前記圧縮機を設置するための設置ベースと、
上下方向に開通する中空部を備えてほぼ筒状をなし前記設置ベースに上下方向に指向して配置され前記圧縮機を弾性支持する弾性脚と、
前記設置ベースに前記弾性脚の中空部を挿通して立設する形態に取り付けられた支柱部材と、
この支柱部材の上部に備えられた抜け止め部と、
前記弾性脚上端と前記抜け止め部との間に隙間なく設けられ、前記弾性脚よりも柔弾性である構成の弾性部材と
を備えたことを特徴とする洗濯乾燥機。
【請求項２】
前記弾性部材は、弾性脚側から抜け止め部側に向かって断面積が増加する形状であることを特徴とする請求項１に記載の洗濯乾燥機。
【請求項３】
前記弾性部材は、平板部と該平板部の周縁部から立ち下がる周壁部とを有した構成であることを特徴とする請求項１に記載の洗濯乾燥機。
【請求項４】
前記弾性部材は、弾性度合いが異なる複数の単一部材を、弾性度合いが柔らかいものから硬くなるものの順に、弾性脚側から抜け止め部側となるように積層して構成されていることを特徴とする請求項１に記載の洗濯乾燥機。
【請求項５】
前記弾性部材は、粘弾性体からなることを特徴とする請求項１に記載の洗濯乾燥機。
【発明の詳細な説明】
【技術分野】
【０００１】
本発明はヒートポンプを備えた洗濯乾燥機に関する。
【背景技術】
【０００２】
従来より、圧縮機、蒸発器及び凝縮器を有してなるヒートポンプを備えた洗濯乾燥機では、前記凝縮器で加熱した空気（温風）を水槽内に供給し、該水槽内及びその内部の回転槽を通して該回転槽内の衣類から水分を吸収し、その後該温風を前記蒸発器部分に戻して該蒸発器により冷却除湿し、再度前記凝縮器で加熱することを繰り返して乾燥を行うようにしている。
【０００３】
また、この種の洗濯乾燥機では、回転槽を例えば４０〜６０ｒｐｍで低速回転させて洗い（すすぎも含む）運転を行い、また、６００〜１５００ｒｐｍで高速回転させて脱水運転を行うようにしており、また上記乾燥運転時には、回転槽を間欠的に正逆回転させるようにしている。
【０００４】
そして、前記圧縮機は、洗濯乾燥機が備えた設置ベースに弾性的に支持されており、この弾性支持構造が例えば特許文献１に示されている。この構造を、図６に示している。この図６において、圧縮機１の下部には取付板部２が取着されており、設置ベース３には、該取付板部２を支持することで前記圧縮機１を弾性支持する弾性脚４が配置されている。この弾性脚４は筒状をなしており、この弾性脚４の中空部４ａには、前記設置ベース３に立設された支柱部材としてのねじ５が挿通されている。
【０００５】
このねじ５の上部には例えばワッシャからなる上方への抜け止め部６が設けられている。この抜け止め部６により弾性脚４が上方へ抜けることが阻止されている。この場合、弾性脚４を抜け止め部６により押えてしまうと、弾性脚４が硬くなってしまって弾性支持に支障を来たすことから、抜け止め部６と弾性脚４との間には隙間Ｇが設けられている。
【特許文献１】特開２００７−１４３７３６号公報
【発明の開示】
【発明が解決しようとする課題】
【０００６】
上記構成においては、乾燥運転時において圧縮機１が例えば２５〜１００Ｈｚで運転されるが、この乾燥運転時の圧縮機１の振動を吸収できるように弾性脚４が設けられているから、該圧縮機１の振動、及び該振動の設置ベース３側への伝播を抑制できる。しかし、回転槽が脱水時に回転駆動されると、洗濯機が１０〜２５Ｈｚで振動し、前記圧縮機１が共振して激しく揺れることがあった。特に、圧縮機１が上下方向に激しく揺れてしまい、圧縮機１と接続されている配管（冷媒配管）が破損するおそれがあった。
【０００７】
本発明は上記事情に鑑みてなされたものであり、その目的は、脱水運転時及び乾燥運転時のいずれにおいても圧縮機の振動を有効に緩和することができる洗濯乾燥機を提供することにある。
【課題を解決するための手段】
【０００８】
本発明は、次の点に着目してなされている。
すなわち、弾性脚上端と支柱部材の抜け止め部との間に隙間があると、脱水運転時の低周波数振動域において、圧縮機が規制されることなく隙間分激しく動くことが判った。この隙間部分を剛体のスペーサで埋めてしまうと、圧縮機運転時（乾燥運転時）に弾性脚の振動吸収作用が抑制されてしまう。
【０００９】
上述の事情を考慮して、本発明は、少なくとも洗い時及び脱水時に回転駆動される回転槽と、圧縮機、蒸発器及び凝縮器を有して構成され、前記回転槽内の衣類を乾燥させるためのヒートポンプと、前記圧縮機を設置するための設置ベースと、上下方向に開通する中空部を備えてほぼ筒状をなし前記設置ベースに上下方向に指向して配置され前記圧縮機を弾性支持する弾性脚と、前記設置ベースに前記弾性脚の中空部を挿通して立設する形態に取り付けられた支柱部材と、この支柱部材の上部に備えられた抜け止め部と、前記弾性脚上端と前記抜け止め部との間に隙間なく設けられ、前記弾性脚よりも柔弾性である構成の弾性部材とを備えたところに特徴を有する。
【００１０】
上記構成においては、圧縮機が運転される乾燥運転時には、弾性脚により圧縮機の振動を良好に吸収できると共に、該弾性脚よりも柔弾性である構成の弾性部材を該弾性脚上端と前記抜け止め部との間に隙間なく設けているから、脱水運転時に圧縮機が共振しても該圧縮機の動きが緩和される。
【発明の効果】
【００１１】
本発明によれば、脱水運転時及び乾燥運転時のいずれにおいても圧縮機の振動を良好に低減できる。
【発明を実施するための最良の形態】
【００１２】
以下本発明の第１の実施例につき図１及び図２を参照して説明する。まず、図１には、洗濯乾燥機の全体構成が示されており、外郭を形成してなる筐体２１は、底部を構成する台板２２と、この台板２２に固定された外箱２３とから構成されている。この筐体２１の内部には、水槽２４が配設され、水槽２４の内部には、洗濯物の洗い、脱水、乾燥に用いられる回転槽たるドラム２５が配設されている。
【００１３】
上記水槽２４及びドラム２５は、ともに横軸円筒状をなすもので、前側の端面部にそれぞれの開口部２６，２７を有している。水槽２４の開口部２６は、筐体２１の前面部に形成した洗濯物の出し入れ用の開口部２８にベローズ２９が接続され、又、該筐体２１の開口部２８には扉３０が開閉可能に設けられている。
【００１４】
ドラム２５の周側部（胴部）の略全域には、小孔２５ａが形成されている（一部のみ図示）。小孔２５ａは、洗濯時及び脱水時に通水孔として機能し、乾燥時には通風孔として機能するようになっている。そのほか、ドラム２５の周側部の内面には、洗濯物撹拌用のバッフル２５ｂが複数個設けられている。
【００１５】
前記水槽２４には、前端面の上方部位に排気口３１が形成され、後端面の上方部位に給気口３２が形成されている。このほか、水槽２４の底部の後部には、排水口３３が形成されており、この排水口３３には、水槽２４外で排水弁３４と接続され、更に、排水弁３４に排水ホース３５が接続され、これらにより水槽２４内の水を筐体２１外に排出するようにしている。
前記ドラム２５の後端面（背面）の中心部には、回転軸３６の一端が連結固定され、他端は、水槽２４の後側の端面部の中心部を回転可能に挿通して後方へ突出されている。ドラム２５の後端面には、多数の温風導入孔３７が形成されている。
【００１６】
前記水槽２４の後端面（背面）には、モータ３８が取付けられている。モータ３８は、アウターロータ形であり、更に、この場合、ブラシレスＤＣモータであって、そのロータ３９は前記回転軸３６に連結固定されている。この構成により、ドラム２５は回転軸３６を中心にモータ３８によりダイレクトに回転される。該モータ３８は、洗い運転時及びすすぎ運転時に４０〜６０ｒｐｍで低速回転駆動され、また、脱水運転時には、６００〜１５００ｒｐｍで高速回転駆動され、乾燥運転時には、間欠的に正逆回転駆動される。
【００１７】
尚、水槽２４は、複数のサスペンション（図示せず）により筐体２１の台板２２上に弾性支持されており、その支持形態は、水槽２４の軸方向が前後となる横軸状で、しかも前上がりの傾斜状であり、従って、ドラム２５も同形態となっている。
【００１８】
筐体２１の台板２２には、ヒートポンプ４０が配設されている。このヒートポンプ４０は、台板２２に脚体４７により弾性的に支持された支持板４１上に、圧縮機４２、蒸発器４３及び凝縮器４４、さらには送風装置４５を配設した一体構造であり、上記蒸発器４３、凝縮器４４、送風装置４５の送風羽根４５ａはヒートポンプ用ダクト４６により形成された通風路内に位置する。なお、前記送風装置４５は前記送風羽根４５ａと送風モータ４５ｂとから構成されている。
【００１９】
前記ヒートポンプ４０のヒートポンプ用ダクト４６の前端部４６ａは温風戻しダクト４８の一端部に接続されている。この温風戻しダクト４８はほぼＬ字状をなしており、この温風戻しダクト４８の他端部である垂直状部分の上端部は、排気ダクト４９を介して前記排気口３１に接続されている。前記排気ダクト４９における前記温風戻しダクト４８近傍には、蛇腹部４９ａが設けられている。
【００２０】
また、前記ヒートポンプ用ダクト４６の後側の接続ダクト部４６ｂは、給気ダクト５０を介して前記給気口３２に接続されている。この給気ダクト５０における接続部４６ｂ近傍部には蛇腹部５０ａが設けられている。
これらヒートポンプ用ダクト４６、給気ダクト５０、給気口３２、水槽２４内（ドラム２５内）、排気口３１、排気ダクト４９、温風戻しダクト４８により、温風循環路５１が形成されている。
【００２１】
前記前記筐体２１の前面部２１ａにリントフィルタ５２が取り出し可能に挿入配置されており、このリントフィルタ５２は前記温風戻しダクト４８内を流通する温風中からリントを捕獲するものである。
【００２２】
さて、前記圧縮機４２は、例えば３箇所で、前記支持板４１（設置ベース）に弾性支持装置５３により弾性支持されている。この弾性支持装置５３について説明する。この弾性支持装置５３は、取付板部５４、支柱部材たるねじ５５、弾性脚５６、弾性部材５７、抜け止め部たるナット５８を備えて構成されている。前記取付板部５４は前記圧縮機４２に水平状態に取り付けられている。この取付板部５４には、平面的にみて圧縮機４２の軸心周りに３つの嵌合孔５４ａ（一つのみ図示）を均等配置状態に形成されている。
【００２３】
前記ねじ５５は支柱部材たるものであり、前記支持板４１に前記嵌合孔５４ａと対応するように３箇所に立設されている。すなわち、このねじ５５は下端部に頭部５５ａを有し、この頭部５５ａの上部に円柱状の柱部５５ｂを有し、この柱部５５ｂの上部には該柱部５５ｂより小径な雄ねじ部５５ｃを有する。前記柱部５５ｂ上端には水平な平坦面からなる受け部５５ｄが形成されている。
このねじ５５は、前記支持板４１の３箇所に形成されたねじ挿通孔部４１ａ（一つのみ図示）に下方から挿通されて頭部５５ａが支持板４１に例えば溶接により固定されており、もって、該ねじ５５は、支持板４１に上下方向に指向して立設されている。
【００２４】
前記弾性脚５６は、例えばゴムから構成されており、上下方向に開通する中空部５６ａを備えてほぼ筒状をなしている。該弾性脚５６の周壁部は縦断面形状が厚肉な蛇腹状をなし、上部外周部に係合凹溝部５６ｂが形成されている。なお、この弾性脚５６の上端部は平坦面５６ｃとなっている。またこの弾性脚５６の高さ寸法は、前記ねじ５５の柱部５５ｂの高さより若干高くなっている。この弾性脚５６により圧縮機４２は共振周波数がほぼ２０Ｈｚ程度となるように支持されている。
【００２５】
前記弾性部材５７は、発泡材質例えばＥＰＤＭ（エチレンプロピレンジエンゴム）製のスポンジから構成され、もって、前記弾性脚５６より柔らかい弾性である構成である。この弾性部材５７は円形板状をなしており、中心部に挿通孔５７ａを有する。この場合、この弾性部材５７の挿通孔５７ａの直径寸法は、前記弾性脚５６の平坦面５６ｃの内周部の直径寸法より小さく、該弾性部材５７ａの外径寸法は、前記弾性脚５６の平坦面５６ｃの外径より大きくなるように設定されている。
【００２６】
前記ナット５８は座金５８ａを一体に有する座金付ナットから構成されている。
前記弾性支持装置５３の組み立て手順について説明する。前記弾性脚５６の係合凹溝部５６ｂを前記取付板部５４の嵌合孔５４ａに嵌合しておき、この弾性脚５６を、前記支持板４１に立設した前記ねじ５５に上方から嵌合し、弾性部材５７をねじ５５の雄ねじ部５５ｃに嵌合させて弾性脚５６の平坦面５６ｃに配置し、ナット５８を該雄ねじ部５５ｃにねじ込む。この場合、ナット５８は、弾性脚５６の上端である平坦面５６ｃと該ナット５８との間に隙間がないように締めている。この結果、前記弾性部材５７は前記弾性脚５６上端と前記ねじ５５の上部の抜け止め部であるナット５８との間に隙間なく設けられている。
【００２７】
上記弾性脚５６は、前述した蛇腹形状の中空筒状としていることで、圧縮機４２の共振周波数をほぼ２０Ｈｚとなるようにしている。
さて、上記構成において、洗い運転時及びすすぎ運転時には前述したように、ドラム２５が４０〜６０ｒｐｍで低速回転駆動され、その場合、圧縮機４２の振動数は０．７〜１０Ｈｚぐらいである。また、脱水運転時には、ドラム２５が６００〜１５００ｒｐｍで高速回転駆動され、その場合、圧縮機４２に作用する振動数は１０〜２５Ｈｚぐらいである。
【００２８】
乾燥運転時には、ドラム２５が回転されると共に、送風装置４５が運転され、さらに圧縮機４２が運転される。該圧縮機４２が運転されると、圧縮機４２内の冷媒が圧縮されて吐出され、凝縮器４４で放熱し、蒸発器４３で蒸発する。そして、送風装置４５が運転されることにより、温風循環路５１を図１の矢印で示すように循環する。このとき、循環空気が前記凝縮器４４で加熱されて、水槽２４内（ドラム２５内）に供給され、この際にドラム２５内の洗濯物の乾燥に寄与し、水槽２４の排気口３１から出て、前記蒸発器４３により冷却除湿され、再度前記凝縮器４４で加熱されることが繰り返えされる。
【００２９】
この場合、圧縮機４２は、冷媒としてＲ４１０Ａを使用する場合には、２５〜６０Ｈｚ程度で運転され、また冷媒としてＲ１３４ａを使用する場合には、４０〜１００Ｈｚ程度で運転される。つまり、圧縮機４２の運転周波数は２５〜１００Ｈｚである。
【００３０】
さて、上記構成の本実施例において、圧縮機４２が運転される乾燥運転時には、その振動は小さいため、従来設けられていた隙間を弾性部材５７が埋めていてもその影響は無視できることから、弾性脚５６により圧縮機４２は共振状態となることがなく圧縮機４２の振動が良好に吸収される。また、該弾性脚５６よりも柔弾性である構成の弾性部材５７を該弾性脚５６上端と前記ナット５８との間に隙間なく設けているから、脱水運転時にその回転上昇に伴い圧縮機４２が共振しても該圧縮機４２の動きが、弾性部材５７が変形することにより緩和される。この結果、本実施例によれば、脱水運転時及び乾燥運転時のいずれにおいても圧縮機４２の振動を良好に低減できる。さらには、据付時などに過大な衝撃が加わっても圧縮機４２の急激な動きを弾性部材５７が緩和するため、デリケートな冷媒配管の破損などを未然に防止することができる。
【００３１】
図３は本発明の第２の実施例を示しており、弾性部材６１は、弾性脚５６側からナット５８側に向かって断面積が増加する形状に形成されており、この場合ほぼ逆円錐状に形成された点が第１の実施例と異なる。
【００３２】
この第２の実施例によれば、圧縮機４２の振動振幅（上下振動振幅）が少ない洗い運転時などにおいては、その振動が断面積の小さくて柔らかい弾性部材５７下部に作用するから、弾性脚５６の制振効果を妨げることがなく、そして脱水運転時などにおいて、圧縮機４２の振動振幅（上下振動振幅）が大きくなるほど、該弾性部材５７自体の制振効果が大きくなり、総じて、洗い運転時においては弾性脚５６の制振作用を良好に発揮させ、且つ脱水運転時には弾性部材６１の制振作用を良好に発揮させることができる。
【００３３】
図４は本発明の第３の実施例を示しており、弾性部材７１の構成が第１及び第２の実施例と異なる。すなわち、弾性部材７１は、平板部７１ａと該平板部７１ａの周縁部から立ち下がる周壁部７１ｂとを有した構成である。この第３の実施例においても、前記第２の実施例とほぼ同様の効果を奏する。
【００３４】
図５は本発明の第４の実施例を示しており、弾性部材８１の構成が第１及び第２の実施例と異なる。すなわち、弾性部材８１は、弾性度合いが異なる複数の単一部材８１ａ、８１ｂを積層して構成されている。この場合、単一部材８１ａの弾性度合いが単一部材８１ｂの弾性度合いより柔らかく構成されている。そして柔らかいほうの単一部材８１ａが下側で、別の単一部材８１ｂが上側となるように、つまり、柔らかいものから硬くなるものの順に、弾性脚５６側からナット５８側となるように積層して構成されている。
【００３５】
この第４の実施例においても、第２の実施例と同様の効果を奏する。
なお、上記実施例では、抜け止め部として座金付ナットを例示したが、ナットと座金とは別部材でもよく、この場合、座金が抜け止め部として作用する。また、設置ベースにねじ孔を形成し、支柱部材としてのねじを該設置ベースに上からねじ込むことによりねじを立設する構成としても良い。また、弾性部材は粘弾性体から構成しても良い。この粘弾性体としては、株式会社ジェルテックの「αGEL」（アルファゲル（登録商標））などが知られている。このようにすると、脱水運転時における圧縮機４２の振動をさらに緩和できる。
【図面の簡単な説明】
【００３６】
【図１】本発明の第１の実施例を示し、圧縮機支持部分の縦断側面図
【図２】洗濯乾燥機全体の縦断側面図
【図３】本発明の第２の実施例を示す図１相当図
【図４】本発明の第３の実施例を示す図１相当図
【図５】本発明の第４の実施例を示す図１相当図
【図６】従来例を示す図１相当図
【符号の説明】
【００３７】
図面中、２４は水槽、２５はドラム（回転槽）、４０はヒートポンプ、４１は支持板（設置ベース）、４２は圧縮機、４３は蒸発器、４４は凝縮器、４５は送風装置、５１は温風循環路、５３は弾性支持装置、４５は取付板部、５５はねじ（支柱部材）、５６は弾性脚、５７は弾性部材、５８はナット（抜け止め部）、６１、７１、８１は弾性部材を示す。
【図１】
2009219598.tif 000003
【図２】
2009219598.tif 000004
【図３】
2009219598.tif 000005
【図４】
2009219598.tif 000006
【図５】
2009219598.tif 000007
【図６】
2009219598.tif 000008